(57)【要約】【課題】住宅（約５、０００万世帯）、店舗（約１１４万店）、工場（一次、二次、三次産業を含む）では、適正な漏電保護・管理が要求されるものの受電設備を設計する場合、感電事故対策は電気工事の施工費安価が優先されるため、幹線・主開閉器に過電流保護と短絡保護を兼用備えた過電流保護付漏電ブレーカを設置する事例が多く、漏電感度を人命保護感度３０mAから外れた１００mA又は２００mA選定が多く人命保護を不可能としている。また、１００Ｖコンセント電圧線は、施工位置も低く幼児が宅内コンセント穴に異物を挿入する感電事例もあり、感電事故時の感電電撃を和らげる技術が求められる。【解決手段】１線地落感電電撃を半減する単相２線式５０／１００Ｖ降圧装置を提供する。【選択図】  図４
2017046582.tif 000002
【特許請求の範囲】
【請求項１】
単相２線式分岐回路下位負荷線間電圧１００Ｖ８・非特許文献１・標準電圧１００Ｖ送電系統を、
前記・単相２線式分岐回路の分岐ブレーカ３上位１次側入力電圧を、非特許文献１・標準電圧２００Ｖ仕様に組替え、Ｒ−Ｔ相線間電圧２００Ｖ２を印可し、電圧降圧部５へ入力し、
前記電圧降圧部５を形成する単相２線式２００Ｖ５０／１００Ｖ降圧装置  巻線入力点Ｇ・Ｒ相とＴ相間に仮中点ｎ電位０Ｖを設け、Ｒ相と仮中点ｎ電位０Ｖ間に巻数Ｎ１ａと巻数Ｎ２ａを付設し、巻数Ｎ１a−Ｎ２a分岐点Ｖを付設し、
前記仮中点ｎ電位０ＶとＴ相間に巻数Ｎ２ｂと巻数Ｎ１ｂを付設し、巻数Ｎ２b−Ｎ１b分岐点Ｗを付設する。
前記電圧降圧部５を形成する単相２線式２００Ｖ５０／１００Ｖ降圧装置  巻線出力点Ｈに、前記仮中点ｎ電位０Ｖから電圧５０Ｖとなる電位点を前記Ｎ１ａと前記Ｎ２ａ間からＲ相対地間電圧５０Ｖ・Ｖ５０Ａを二次側出力成し、
前記巻線出力点Ｈに、仮中点ｎ電位０Ｖから電圧５０Ｖとなる電位点を前記Ｎ２ｂと前記Ｎ１ｂ間からＴ相対地間電圧５０Ｖ・Ｖ５０Ｂを二次側出力成し、
前記二次側出力から、負荷線間電圧１００Ｖ８・非特許文献１・標準電圧１００Ｖを出力得る前記巻数と、前記分岐点Ｖ・Ｗと、前記仮中点ｎ電位０Ｖ点から、
前記負荷線間電圧１００Ｖ８相電圧構成を、Ｒ相対地間電圧５０Ｖ・Ｖ５０Ａ及びＴ相対地間電圧５０Ｖ・Ｖ５０Ｂから成し、
前記単相２線式分岐回路下位負荷線間電圧１００Ｖ８・非特許文献１・標準電圧１００Ｖを出力する単相２線式５０／１００Ｖ降圧装置。
【請求項２】
単相２線式２００Ｖ入力・降圧巻線２次側・相電圧線間に、前記相電圧線間に４数・分巻線を付設し、前記４数・分巻線を片バンク２数に分巻線を配置付設する降圧装置であって、
前記降圧巻線２次側・相電圧線間に、中位となる０電位点を付設し、片バンク２数・分巻線には、前記２数・分巻線間から対地間電位を取得する分岐点を付設する請求項１に記載の降圧装置
【発明の詳細な説明】
【技術分野】
【０００１】
本発明は、単相２線式５０／１００Ｖ降圧装置に関する。
【背景技術】
【０００２】
単相３線式１００／２００Ｖ主開閉器下位・１００Ｖ分岐回路単相２線式１００Ｖは、前記主開閉器下位の左・電圧線Ｒ相対地電圧１００Ｖと中・中性線対地間電圧０Ｖと右・電圧線Ｔ相対地間電圧１００Ｖから、非特許文献１・標準電圧１００Ｖを構成している。
しかし、電圧線片側使用し中性線との線間電圧標準値１００Ｖでは、低力率・照明負荷及び低力率・単相１００Ｖ電動機器を多用する電灯配電盤では、ＲーＴ相間平衡・前記標準電圧及び平衡電流値を維持するのは事実上不可能である。
【０００３】
さらに、電圧線１線地落感電事故では、前記標準電圧１００Ｖが人体に印加する感電電圧となり、電撃を下げる手段が無い。
【先行技術文献】
【特許文献】
【０００４】
【特許文献１】特開２０００−８３３７８号公報
【０００５】
【特許文献２】特開２００４−１８７３７４号公報
【０００６】
【特許文献３】特開平９−１６７６９０号公報
【非特許文献】
【０００７】
【非特許文献１】中部電力株式会社  電気供給約款
【発明の概要】
【発明が解決しようとする課題】
【０００８】
本発明は、住宅（約５、０００万世帯）、店舗（約１１４万店）、工場（一次、二次、三次産業を含む）では、適正な漏電保護・管理が要求されるものの受電設備を設計する場合、感電事故対策は電気工事の施工費安価が優先されるため、もっとも安価な施工費の幹線主開閉器に過電流保護と短絡保護を備えた漏電ブレーカを設置する事例が多く、商業店舗は、漏電感度を人命保護感度３０mAから外れた１００mA又は２００mAとする選定が多く、問題である。
【０００９】
特に１００Ｖコンセントは、住宅内の施工位置も低く幼児がコンセント穴に異物を挿入する感電事例もあり、商業施設・飲食店の水回りコンセント負荷設備の絶縁環境・状態は悪く、感電事故時の電撃も大きくなるため感電事故対策を向上する技術が求められる。
【００１０】
単相３線式１００／２００Ｖ幹線保護用・主開閉器の容量選定は、ＲーＴ相間平衡変動率分の相間見合いをとるため適正アンペア値から外れた余剰を含むアンペア値となる、大型事例が多く適正な幹線保護の過電流遮断としての協調が取れていない問題が生じている。
【００１１】
特許文献１送電手段は、需要家・主開閉器下位である２次側端子から前記標準電圧１００Ｖを直列接続入力降圧したのち、前記標準電圧１００Ｖを下回る調整電圧値をＲ−ＳーＴ相分岐回路用銅バー幹線に戻すという代物であるが、非特許文献１標準電圧１００Ｖを下回る分岐回路送電となる点が異なる。
また、分岐回路下位となる負荷機器が使用する線間電圧値構成は、１数・電圧線と中性線の組合せとなるため感電電圧値は、人命保護範囲対地間電位Ｒ相及びＴ相５０Ｖで送電されない点が異なる。
さらに、特許文献１は、公序良俗に反する「節電器」として認知されているため前記標準電圧１００Ｖ・定格消費電力を担保できない技術であり、応用転用はできない。
【００１２】
特許文献１及び同等の発明手段で、負荷機器・線間電圧値を調整操作により任意値に下げたいのであれば、高圧受電・需要家は自家用変電室内の「高圧−低圧」変圧器内部の２次側タップを切り換えれば前記標準電圧を下げられる。
また、低圧受電・需要家は、電力会社に要請し柱上変圧器内部２次側タップ切替で標準電圧を下げられることは周知知識であり、本願分岐回路へ産業上利用できない技術であり不要である。
【００１３】
特許文献２は、接続点を主開閉器上位とし、入力と出力が単相３線式であり本願単相２線式と異なり、「単相３線式電圧調整器」の負荷線間電圧値１００Ｖと、本願負荷線間構成は異なることからも本願分岐回路へ産業上応用転用はできない。
【００１４】
特許文献３は、ネオン管の点灯装置であり、標準電圧２００Ｖを印加しても出力線間Ｒ−Ｔ相電圧値の構成である１線電位・対地間電圧が推察できない。
本願は、複雑付帯機器を必要としない点からも本願分岐回路へ産業上技術応用転用はできない。
【課題を解決するための手段】
【００１５】
単相２線式分岐回路下位負荷線間電圧１００Ｖ８・非特許文献１・標準電圧１００Ｖ送電系統を、
【００１６】
前記・単相２線式分岐回路の分岐ブレーカ３上位１次側入力電圧を、非特許文献１・標準電圧２００Ｖ仕様に組替え、Ｒ−Ｔ相線間電圧２００Ｖ２を印可し、電圧降圧部５へ入力し、
【００１７】
前記電圧降圧部５を形成する単相２線式２００Ｖ５０／１００Ｖ降圧装置  巻線入力点Ｇ・Ｒ相とＴ相間に仮中点ｎ電位０Ｖを設け、Ｒ相と仮中点ｎ電位０Ｖ間に巻数Ｎ１ａと巻数Ｎ２ａを付設し、巻数Ｎ１a−Ｎ２a分岐点Ｖを付設し、
【００１８】
前記仮中点ｎ電位０ＶとＴ相間に巻数Ｎ２ｂと巻数Ｎ１ｂを付設し、巻数Ｎ２b−Ｎ１b分岐点Ｗを付設する。
【００１９】
前記電圧降圧部５を形成する単相２線式２００Ｖ５０／１００Ｖ降圧装置  巻線出力点Ｈに、前記仮中点ｎ電位０Ｖから電圧５０Ｖとなる電位点を前記Ｎ１ａと前記Ｎ２ａ間からＲ相対地間電圧５０Ｖ・Ｖ５０Ａを二次側出力成し、
【００２０】
前記巻線出力点Ｈに、仮中点ｎ電位０Ｖから電圧５０Ｖとなる電位点を前記Ｎ２ｂと前記Ｎ１ｂ間からＴ相対地間電圧５０Ｖ・Ｖ５０Ｂを二次側出力成し、
【００２１】
前記二次側出力から、負荷線間電圧１００Ｖ８・非特許文献１・標準電圧１００Ｖを出力得る前記巻数と、前記分岐点Ｖ・Ｗと、前記仮中点ｎ電位０Ｖ点から、
【００２２】
前記負荷線間電圧１００Ｖ８相電圧構成を、Ｒ相対地間電圧５０Ｖ・Ｖ５０Ａ及びＴ相対地間電圧５０Ｖ・Ｖ５０Ｂから成し、
【００２３】
前記単相２線式分岐回路下位負荷線間電圧１００Ｖ８・非特許文献１・標準電圧１００Ｖを出力する単相２線式５０／１００Ｖ降圧装置を提供する。
【発明の効果】
【００２４】
本発明により、負荷線間電圧１００Ｖ１線地落感電事故災害の電撃被害を、対地間電圧５０Ｖに半減成し、就労者の感電事故防護をより高める対策法となる。
【００２５】
本発明により、単相１００Ｖ負荷機器稼働中の片相電圧線に起きる電圧降下・電圧変動・フリッカ・電気的悪影響発生要因と、相間不平衡電流発生要因の始動電流及び運転電流を、一次側の母線Ｒ−Ｔ相２線に均等に分流成し、相間不平衡要因を皆無とする。
【００２６】
本発明により、単相１００Ｖ負荷機器を、分岐回路構成単相２００Ｖとして送電成し、電圧降圧部容量ＶＡに見合う１００Ｖ負荷機器容量ＶＡを集約送電できる。
よって、省力電気工事及び施工費安価並びに施工期間短縮が実現する。
【００２７】
力率改善用コンデンサ仕様を、上位単相２００Ｖ仕様に成しコンデンサ容量は、線間電圧に反比例し小容量となり数量減設し、施工安価となる。
【００２８】
本発明により、電力供給事業者は柱上変圧器二次側から高圧母線の電流平衡率を高めることができる。
【００２９】
本発明により、主開閉器相電圧線電流の平衡率が高まり主開閉器アンペア値を負荷設備の稼働率に見合い選択でき、非特許文献１契約種別主開閉器契約のアンペア値を低減でき契約容量と基本料金削減が実現する。
【図面の簡単な説明】
【００３０】
【図１】配線図  分岐回路  単相２線式５０／１００Ｖ降圧装置
【図２】単相２線式５０／１００Ｖ降圧装置     内部巻線
【図３】汎用単巻変圧器  １００Ｖ＝０Ｖ＋１００Ｖ出力巻線
【図４】１線地落感電事故  感電電圧半減説明
【発明を実施するための形態】
【００３１】
本発明を、その実施の形態を示す図面に基づいて具体的に説明する。
使用に際しては電気供給約款（非特許文献１）に拘束されており、低圧契約需要家に支障
を来すことなく契約締結を可能とする技術を提供するものである。
【００３２】
図１、単相２線式分岐回路下位負荷線間電圧１００Ｖ８・非特許文献１・標準電圧１００Ｖ送電系統を、
【００３３】
図１、前記・単相２線式分岐回路の分岐ブレーカ３上位１次側入力電圧を、非特許文献１・標準電圧２００Ｖ仕様に組替え、Ｒ−Ｔ相線間電圧２００Ｖ２を印可し、電圧降圧部５へ入力し、
【００３４】
図１、前記電圧降圧部５を形成する、
図２、単相２線式２００Ｖ５０／１００Ｖ降圧装置  巻線入力点Ｇ・Ｒ相とＴ相間に仮中点ｎ電位０Ｖを設け、Ｒ相と仮中点ｎ電位０Ｖ間に巻数Ｎ１ａと巻数Ｎ２ａを付設し、巻数Ｎ１a−Ｎ２a分岐点Ｖを付設し、
【００３５】
図２、前記仮中点ｎ電位０ＶとＴ相間に巻数Ｎ２ｂと巻数Ｎ１ｂを付設し、巻数Ｎ２b−Ｎ１b分岐点Ｗを付設する。
【００３６】
図２、前記電圧降圧部５を形成する単相２線式２００Ｖ５０／１００Ｖ降圧装置  巻線出力点Ｈに、前記仮中点ｎ電位０Ｖから電圧５０Ｖとなる電位点を前記Ｎ１ａと前記Ｎ２ａ間からＲ相対地間電圧５０Ｖ・Ｖ５０Ａを二次側出力成し、
【００３７】
図２、前記巻線出力点Ｈに、仮中点ｎ電位０Ｖから電圧５０Ｖとなる電位点を前記Ｎ２ｂと前記Ｎ１ｂ間からＴ相対地間電圧５０Ｖ・Ｖ５０Ｂを二次側出力成し、
【００３８】
図２、前記二次側出力から、
図１、負荷線間電圧１００Ｖ８・非特許文献１・標準電圧１００Ｖを出力得る前記巻数と、前記分岐点Ｖ・Ｗと、前記仮中点ｎ電位０Ｖ点から、
【００３９】
図１、前記負荷線間電圧１００Ｖ８相電圧構成を、
図２、Ｒ相対地間電圧５０Ｖ・Ｖ５０Ａ及びＴ相対地間電圧５０Ｖ・Ｖ５０Ｂから成し、
【００４０】
図１、前記単相２線式分岐回路下位負荷線間電圧１００Ｖ８・非特許文献１・標準電圧１００Ｖを出力する単相２線式５０／１００Ｖ降圧装置が提供する負荷線間電圧１００Ｖにより、負荷機器を使用する。
【００４１】
図１、負荷線間電圧１００Ｖ送電・下位から、上位・単相２線式５０／１００Ｖ母線の相電圧及び相電流を平衡成し、前記「発明が解決しようとする課題」を解決できる。
【００４２】
図３、周知される単相２線式５０／１００Ｖ降圧手段は、出力電圧値１００Ｖは非特許文献１標準電圧１００Ｖを得ることができるが、負荷線間電圧を電圧線１線と中性線１線で構成する点が本願と異なる。
負荷機器の選定は負荷変動率が低い非特許文献１電灯及び小型機器に仕様分けできる。。
【００４３】
本願は、図３負荷線間電圧手段に対して、単相２線式１００Ｖ・低力率負荷機器を三相２００Ｖ負荷機器・送電と同じ電圧線のみで構成し電圧線２線相電圧を、同一電圧値により負荷線間電圧１００Ｖを構成し提供できる仕様から単相２線式１００Ｖ仕様・産業用負荷機器を非特許文献１・「動力」機器として仕様分けし安定供給できる。
【符号の説明】
【００４４】
図１  
１  単相３線式１００／２００Ｖ
２  Ｒ−Ｔ相線間電圧２００Ｖ
３  分岐ブレーカ
４  収納ケース
５  電圧降圧部
６  負荷電流計
７  負荷ブレーカ
８  負荷線間電圧１００Ｖ
９  負荷
１０  大地
１１  対地間電圧１００Ｖ
１２  対地間電圧  ５０Ｖ
【００４５】
図２及び図３  
Ａ      単相３線式１００／２００Ｖ  責任分解点
Ｂ      単相３線式１００／２００Ｖ  電灯配電盤  需給点
Ｃ      単相２線式２００Ｖ  分岐回路  分岐ブレーカ入力点
Ｄ      単相２線式２００Ｖ  分岐回路  分岐ブレーカ出力点
Ｅ      単相２線式２００Ｖ  単巻変圧器  分岐回路  巻線入力点
Ｆ      単相２線式２００Ｖ  単巻変圧器  分岐回路  巻線出力点
Ｇ      単相２線式２００Ｖ  単相２線式５０／１００Ｖ降圧装置・巻線入力点
Ｈ      単相２線式２００Ｖ  単相２線式５０／１００Ｖ降圧装置・巻線出力点
Ｖ１      Ｒ−Ｓ相  線間電圧  １００Ｖ＝１００Ｖ＋０Ｖ
Ｓ      中性線  対地間電圧  ０Ｖ
Ｖ２      Ｓ−Ｔ相  線間電圧  １００Ｖ＝０Ｖ＋１００Ｖ
Ｖ３      Ｒ−Ｔ相  線間電圧  ２００Ｖ
Ｎ１      巻数  Ｒ−Ｕ
Ｕ      巻数  Ｎ１−Ｎ２分岐点
Ｎ２      巻数  Ｕ−Ｔ
Ｖ０      Ｎ相  対地間電圧  ０Ｖ
Ｖ４      線間電圧  Ｎ−Ｔ  １００Ｖ＝０Ｖ＋１００Ｖ
Ｖ１００  Ｔ相  対地間電圧  １００Ｖ
Ｎ１ａ    巻数  Ｒ−Ｖ
Ｖ      巻数  Ｎ１ａ−Ｎ２ａ  分岐点
Ｎ２ａ    巻数  Ｖ−ｎ
ｎ      仮中点  電位  ０Ｖ
Ｎ２ｂ    巻数  ｎ−Ｗ
Ｗ      巻数  Ｎ２ｂ−Ｎ１ｂ
Ｎ１ｂ    巻数  Ｗ−Ｔ
Ｖ５０Ａ  Ｒ相  対地間電圧５０Ｖ
Ｖ５    単相２線式５０／１００Ｖ降圧装置出力  線間電圧１００Ｖ＝５０Ｖ＋５０Ｖ
Ｖ５０Ｂ  Ｔ相  対地間電圧５０Ｖ
【図１】
2017046582.tif 000003
【図２】
2017046582.tif 000004
【図３】
2017046582.tif 000005
【図４】
2017046582.tif 000006
【手続補正書】
【提出日】平成28年9月18日(2016.9.18)
【手続補正１】
【補正対象書類名】明細書
【補正対象項目名】全文
【補正方法】変更
【補正の内容】
【発明の詳細な説明】
【技術分野】
【０００１】本発明は、単相２線式５０／１００Ｖ降圧装置に関する。
【背景技術】
【０００２】単相３線式１００／２００Ｖ主開閉器下位・１００Ｖ分岐回路単相２線式１００Ｖは、前記主開閉器下位の左・電圧線Ｒ相対地電圧１００Ｖと中・中性線対地間電圧０Ｖと右・電圧線Ｔ相対地間電圧１００Ｖから、非特許文献１・標準電圧１００Ｖを構成している。しかし、電圧線片側使用し中性線との線間電圧標準値１００Ｖでは、低力率・照明負荷及び低力率・単相１００Ｖ電動機器を多用する電灯配電盤では、ＲーＴ相間平衡・前記標準電圧及び平衡電流値を維持するのは事実上不可能である。【０００３】さらに、電圧線１線地落感電事故では、前記標準電圧１００Ｖが人体に印加する感電電圧となり、電撃を下げる手段が無い。
【先行技術文献】
【特許文献】
【０００４】
【特許文献１】特開２０００−８３３７８号公報
【０００５】
【特許文献２】特開２００４−１８７３７４号公報
【０００６】
【特許文献３】特開平９−１６７６９０号公報
【非特許文献】
【０００７】
【非特許文献１】中部電力株式会社  電気供給約款
【発明の概要】
【発明が解決しようとする課題】
【０００８】本発明は、住宅（約５、０００万世帯）、店舗（約１１４万店）、工場（一次、二次、三次産業を含む）では、適正な漏電保護・管理が要求されるものの受電設備を設計する場合、感電事故対策は電気工事の施工費安価が優先されるため、もっとも安価な施工費の幹線主開閉器に過電流保護と短絡保護を備えた漏電ブレーカを設置する事例が多く、商業店舗は、漏電感度を人命保護感度３０mAから外れた１００mA又は２００mAとする選定が多く、問題である。【０００９】特に１００Ｖコンセントは、住宅内の施工位置も低く幼児がコンセント穴に異物を挿入する感電事例もあり、商業施設・飲食店の水回りコンセント負荷設備の絶縁環境・状態は悪く、感電事故時の電撃も大きくなるため感電事故対策を向上する技術が求められる。【００１０】単相３線式１００／２００Ｖ幹線保護用・主開閉器の容量選定は、ＲーＴ相間平衡変動率分の相間見合いをとるため適正アンペア値から外れた余剰を含むアンペア値となる、大型事例が多く適正な幹線保護の過電流遮断としての協調が取れていない問題が生じている。【００１１】特許文献１送電手段は、需要家・主開閉器下位である２次側端子から前記標準電圧１００Ｖを直列接続入力降圧したのち、前記標準電圧１００Ｖを下回る調整電圧値をＲ−ＳーＴ相分岐回路用銅バー幹線に戻すという代物であるが、非特許文献１・標準電圧１００Ｖを下回る分岐回路送電となる点が異なる。また、分岐回路下位となる負荷機器が使用する線間電圧値構成は、１数・電圧線と中性線の組合せとなるため感電電圧値は、人命保護範囲対地間電位Ｒ相及びＴ相５０Ｖで送電されない点が異なる。さらに、特許文献１は、公序良俗に反する「節電器」として認知されているため前記標準電圧１００Ｖ・定格消費電力を担保できない技術であり、応用転用はできない。【００１２】特許文献１及び同等の発明手段で、負荷機器・線間電圧値を調整操作により任意値に下げたいのであれば、高圧受電・需要家は自家用変電室内の「高圧−低圧」変圧器内部の２次側タップを切り換えれば前記標準電圧を下げられる。また、低圧受電・需要家は、電力会社に要請し柱上変圧器内部２次側タップ切替で標準電圧を下げられることは周知知識であり、本願分岐回路へ産業上利用できない技術であり不要である。【００１３】特許文献２は、接続点を主開閉器上位とし、入力と出力が単相３線式であり本願単相２線式と異なり、「単相３線式電圧調整器」の負荷線間電圧値１００Ｖと、本願負荷線間構成は異なることからも本願分岐回路へ産業上応用転用はできない。【００１４】特許文献３は、ネオン管の点灯装置であり、標準電圧２００Ｖを印加しても出力線間Ｒ−Ｔ相電圧値の構成である１線電位・対地間電圧が推察できない。本願は、複雑付帯機器を必要としない点からも本願分岐回路へ産業上技術応用転用はできない。
【課題を解決するための手段】
【００１５】単相２線式分岐回路下位負荷線間電圧１００Ｖ・８・非特許文献１・標準電圧１００Ｖ送電系統を、【００１６】前記・単相２線式分岐回路の分岐ブレーカ・３上位１次側入力電圧を、非特許文献１・標準電圧２００Ｖ仕様に組替え、Ｒ−Ｔ相線間電圧２００Ｖ・２を印加し、電圧降圧部・５へ入力し、【００１７】前記電圧降圧部・５を形成する単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数  Ｒ−Ｖ・Ｎ１ａと巻数  Ｖ−ｎ・Ｎ２ａを付設し、巻数Ｎ１ａ−Ｎ２ａ分岐点・Ｖを付設し、【００１８】前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。【００１９】前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、【００２０】前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、【００２１】前記２次側出力から、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、【００２２】前記負荷線間電圧１００Ｖ・８相電圧構成を、Ｒ相対地間電圧５０Ｖ・Ｖ５０Ａ及びＴ相対地間電圧５０Ｖ・Ｖ５０Ｂから成し、【００２３】前記単相２線式分岐回路下位負荷線間電圧１００Ｖ・８・非特許文献１・標準電圧１００Ｖを出力する単相２線式５０／１００Ｖ降圧装置を提供する。
【発明の効果】
【００２４】本発明により、負荷線間電圧１００Ｖ・１線地落感電事故災害の電撃被害を、対地間電圧５０Ｖに半減成し、就労者の感電事故防護をより高める対策法となる。【００２５】本発明により、単相１００Ｖ負荷機器稼働中の片相電圧線に起きる電圧降下・電圧変動・フリッカ・電気的悪影響発生要因と、相間不平衡電流発生要因の始動電流及び運転電流を、１次側の母線Ｒ−Ｔ相２線に均等に分流成し、相間不平衡要因を皆無とする。【００２６】本発明により、単相１００Ｖ負荷機器を、分岐回路構成単相２００Ｖとして送電成し、電圧降圧部容量ＶＡに見合う１００Ｖ負荷機器容量ＶＡを集約送電できる。よって、省力電気工事及び施工費安価並びに施工期間短縮が実現する。【００２７】力率改善用コンデンサ仕様を、上位単相２００Ｖ仕様に成しコンデンサ容量は、線間電圧に反比例し小容量となり数量減設し、施工安価となる。【００２８】本発明により、電力供給事業者は柱上変圧器２次側から高圧母線の電流平衡率を高めることができる。【００２９】本発明により、主開閉器相電圧線電流の平衡率が高まり主開閉器アンペア値を負荷設備の稼働率に見合い選択でき、非特許文献１・契約種別主開閉器契約のアンペア値を低減でき契約容量と基本料金削減が実現する。
【図面の簡単な説明】
【００３０】
【図１】配線図  分岐回路  単相２線式５０／１００Ｖ降圧装置
【図２】単相２線式５０／１００Ｖ降圧装置     内部巻線
【図３】汎用単巻変圧器  １００Ｖ＝０Ｖ＋１００Ｖ出力巻線
【図４】１線地落感電事故  感電電圧半減説明
【発明を実施するための形態】
【００３１】本発明を、その実施の形態を示す図面に基づいて具体的に説明する。使用に際しては電気供給約款（非特許文献１）に拘束されており、低圧契約需要家に支障を来すことなく契約締結を可能とする技術を提供するものである。
【００３２】単相２線式分岐回路下位負荷線間電圧１００Ｖ・８・非特許文献１・標準電圧１００Ｖ送電系統を、
【００３３】前記・単相２線式分岐回路の分岐ブレーカ・３上位１次側入力電圧を、非特許文献１・標準電圧２００Ｖ図１・仕様に組替え、Ｒ−Ｔ相線間電圧２００Ｖ・２を印加し、電圧降圧部・５へ入力し、
【００３４】図１、前記電圧降圧部・５を形成する、図２、単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数  Ｒ−Ｖ・Ｎ１ａと巻数  Ｖ−ｎ・Ｎ２ａを付設し、巻数Ｎ１ａ−Ｎ２ａ分岐点・Ｖを付設し
【００３５】図２、前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。
【００３６】図２、前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、
【００３７】図２、前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、
【００３８】図２、前記２次側出力から、図１、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、
【００３９】図１、前記負荷線間電圧１００Ｖ・８相電圧構成を、図２、Ｒ相対地間電圧５０Ｖ・Ｖ５０Ａ及びＴ相対地間電圧５０Ｖ・Ｖ５０Ｂから成し、
【００４０】図１、前記単相２線式分岐回路下位負荷線間電圧１００Ｖ・８・非特許文献１・標準電圧１００Ｖを出力する単相２線式５０／１００Ｖ降圧装置により、負荷機器を使用する。
【００４１】図１、負荷線間電圧１００Ｖ送電・下位から、上位・単相２線式５０／１００Ｖ母線の相電圧及び相電流を平衡成し、前記「発明が解決しようとする課題」を解決できる。
【００４２】図３、周知される単相２線式５０／１００Ｖ降圧手段は、出力電圧値１００Ｖは非特許文献１・標準電圧１００Ｖを得ることができるが、負荷線間電圧を電圧線１線と中性線１線で構成する点が本願と異なる。負荷機器の選定は負荷変動率が低い非特許文献１・電灯及び小型機器に仕様分けできる。。
【００４３】本願は、図３負荷線間電圧手段に対して、単相２線式１００Ｖ・低力率負荷機器を三相２００Ｖ負荷機器・送電と同じ電圧線のみで構成し電圧線２線相電圧を、同一電圧値により負荷線間電圧１００Ｖを構成し提供できる仕様から単相２線式１００Ｖ仕様・産業用負荷機器を非特許文献１・「動力」機器として仕様分けし安定供給できる。 
【符号の説明】
【００４４】図１  １  単相３線式１００／２００Ｖ  ２  Ｒ−Ｔ相線間電圧２００Ｖ  ３  分岐ブレーカ  ４  収納ケース  ５  電圧降圧部  ６  負荷電流計  ７  負荷ブレーカ  ８  負荷線間電圧１００Ｖ  ９  負荷１０  大地１１  対地間電圧１００Ｖ１２  対地間電圧  ５０Ｖ【００４５】図２及び図３  Ａ      単相３線式１００／２００Ｖ  責任分解点  Ｂ      単相３線式１００／２００Ｖ  電灯配電盤  需給点  Ｃ      単相２線式２００Ｖ  分岐回路  分岐ブレーカ入力点  Ｄ      単相２線式２００Ｖ  分岐回路  分岐ブレーカ出力点  Ｅ      単相２線式２００Ｖ  単巻変圧器  分岐回路  巻線入力点  Ｆ      単相２線式２００Ｖ  単巻変圧器  分岐回路  巻線出力点  Ｇ      単相２線式２００Ｖ  単相２線式５０／１００Ｖ降圧装置・巻線入力点  Ｈ      単相２線式２００Ｖ  単相２線式５０／１００Ｖ降圧装置・巻線出力点Ｖ１      Ｒ−Ｓ相  線間電圧  １００Ｖ＝１００Ｖ＋０Ｖ  Ｓ      中性線  対地間電圧  ０ＶＶ２      Ｓ−Ｔ相  線間電圧  １００Ｖ＝０Ｖ＋１００ＶＶ３      Ｒ−Ｔ相  線間電圧  ２００ＶＮ１      巻数  Ｒ−Ｕ  Ｕ      巻数  Ｎ１−Ｎ２分岐点Ｎ２      巻数  Ｕ−ＴＶ０      Ｎ相  対地間電圧  ０ＶＶ４      線間電圧  Ｎ−Ｔ  １００Ｖ＝０Ｖ＋１００ＶＶ１００  Ｔ相  対地間電圧  １００ＶＮ１ａ    巻数  Ｒ−Ｖ  Ｖ      巻数  Ｎ１ａ−Ｎ２ａ分岐点Ｎ２ａ    巻数  Ｖ−ｎ  ｎ      仮中点  電位  ０ＶＮ２ｂ    巻数  ｎ−Ｗ  Ｗ      巻数  Ｎ２ｂ−Ｎ１ｂ分岐点Ｎ１ｂ    巻数  Ｗ−ＴＶ５０Ａ  Ｒ相  対地間電圧５０Ｖ  Ｖ５    単相２線式５０／１００Ｖ降圧装置出力  線間電圧１００Ｖ＝５０Ｖ＋５０ＶＶ５０Ｂ  Ｔ相  対地間電圧５０Ｖ 
【手続補正２】
【補正対象書類名】特許請求の範囲
【補正対象項目名】全文
【補正方法】変更
【補正の内容】
【特許請求の範囲】
【請求項１】
単相２線式分岐回路下位負荷線間電圧１００Ｖ・８・非特許文献１・標準電圧１００Ｖ送電系統を、前記・単相２線式分岐回路の分岐ブレーカ・３上位１次側入力電圧を、非特許文献１・標準電圧２００Ｖ仕様に組替え、Ｒ−Ｔ相線間電圧２００Ｖ・２を印加し、電圧降圧部・５へ入力し、前記電圧降圧部・５を形成する単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数  Ｒ−Ｖ・Ｎ１ａと巻数  Ｖ−ｎ・Ｎ２ａを付設し、巻数Ｎ１ａ−Ｎ２ａ分岐点・Ｖを付設し、前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、前記２次側出力から、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、前記負荷線間電圧１００Ｖ・８相電圧構成を、Ｒ相対地間電圧５０Ｖ・Ｖ５０Ａ及びＴ相対地間電圧５０Ｖ・Ｖ５０Ｂから成し、前記単相２線式分岐回路下位負荷線間電圧１００Ｖ・８・非特許文献１・標準電圧１００Ｖを出力する単相２線式５０／１００Ｖ降圧装置。  
【請求項２】
単相２線式２００Ｖ入力・降圧巻線２次側・相電圧線間に、前記相電圧線間に４数・分巻線を付設し、前記４数・分巻線を片バンク２数・分巻線配置付設する降圧装置であって、前記降圧巻線２次側・相電圧線間に、中位となる０電位点を付設し、片バンク２数・分巻線には、前記２数・分巻線間から対地間電位を取得する分岐点を付設する請求項１に記載の降圧装置。   
【手続補正３】
【補正対象書類名】図面
【補正対象項目名】全図
【補正方法】変更
【補正の内容】
【図１】
2017046582.tif 000007
【図２】
2017046582.tif 000008
【図３】
2017046582.tif 000009
【図４】
2017046582.tif 000010
【手続補正書】
【提出日】平成28年9月20日(2016.9.20)
【手続補正１】
【補正対象書類名】明細書
【補正対象項目名】全文
【補正方法】変更
【補正の内容】
【発明の詳細な説明】
【技術分野】
【０００１】本発明は、単相２線式５０／１００Ｖ降圧装置に関する。
【背景技術】
【０００２】単相３線式１００／２００Ｖ主開閉器下位・１００Ｖ分岐回路単相２線式１００Ｖは、前記主開閉器下位の左・電圧線Ｒ相対地電圧１００Ｖと中・中性線対地間電圧０Ｖと右・電圧線Ｔ相対地間電圧１００Ｖから、非特許文献１・標準電圧１００Ｖを構成している。しかし、電圧線片側使用し中性線との線間電圧標準値１００Ｖでは、低力率・照明負荷及び低力率・単相１００Ｖ電動機器を多用する電灯配電盤では、ＲーＴ相間平衡・前記標準電圧及び平衡電流値を維持するのは事実上不可能である。【０００３】さらに、電圧線１線地落感電事故では、前記標準電圧１００Ｖが人体に印加する感電電圧となり、電撃を下げる手段が無い。
【先行技術文献】
【特許文献】
【０００４】
【特許文献１】特開２０００−８３３７８号公報
【０００５】
【特許文献２】特開２００４−１８７３７４号公報
【０００６】
【特許文献３】特開平９−１６７６９０号公報
【非特許文献】
【０００７】
【非特許文献１】中部電力株式会社  電気供給約款
【発明の概要】
【発明が解決しようとする課題】
【０００８】本発明は、住宅（約５、０００万世帯）、店舗（約１１４万店）、工場（一次、二次、三次産業を含む）では、適正な漏電保護・管理が要求されるものの受電設備を設計する場合、感電事故対策は電気工事の施工費安価が優先されるため、もっとも安価な施工費の幹線主開閉器に過電流保護と短絡保護を備えた漏電ブレーカを設置する事例が多く、商業店舗は、漏電感度を人命保護感度３０mAから外れた１００mA又は２００mAとする選定が多く、問題である。【０００９】特に１００Ｖコンセントは、住宅内の施工位置も低く幼児がコンセント穴に異物を挿入する感電事例もあり、商業施設・飲食店の水回りコンセント負荷設備の絶縁環境・状態は悪く、感電事故時の電撃も大きくなるため感電事故対策を向上する技術が求められる。【００１０】単相３線式１００／２００Ｖ幹線保護用・主開閉器の容量選定は、ＲーＴ相間平衡変動率分の相間見合いをとるため適正アンペア値から外れた余剰を含むアンペア値となる、大型事例が多く適正な幹線保護の過電流遮断としての協調が取れていない問題が生じている。【００１１】特許文献１送電手段は、需要家・主開閉器下位である２次側端子から前記標準電圧１００Ｖを直列接続入力降圧したのち、前記標準電圧１００Ｖを下回る調整電圧値をＲ−ＳーＴ相分岐回路用銅バー幹線に戻すという代物であるが、非特許文献１・標準電圧１００Ｖを下回る分岐回路送電となる点が異なる。また、分岐回路下位となる負荷機器が使用する線間電圧値構成は、１数・電圧線と中性線の組合せとなるため感電電圧値は、人命保護範囲対地間電位Ｒ相及びＴ相５０Ｖで送電されない点が異なる。さらに、特許文献１は、公序良俗に反する「節電器」として認知されているため前記標準電圧１００Ｖ・定格消費電力を担保できない技術であり、応用転用はできない。【００１２】特許文献１及び同等の発明手段で、負荷機器・線間電圧値を調整操作により任意値に下げたいのであれば、高圧受電・需要家は自家用変電室内の「高圧−低圧」変圧器内部の２次側タップを切り換えれば前記標準電圧を下げられる。また、低圧受電・需要家は、電力会社に要請し柱上変圧器内部２次側タップ切替で標準電圧を下げられることは周知知識であり、本願分岐回路へ産業上利用できない技術であり不要である。【００１３】特許文献２は、接続点を主開閉器上位とし、入力と出力が単相３線式であり本願単相２線式と異なり、「単相３線式電圧調整器」の負荷線間電圧値１００Ｖと、本願負荷線間構成は異なることからも本願分岐回路へ産業上応用転用はできない。【００１４】特許文献３は、ネオン管の点灯装置であり、標準電圧２００Ｖを印加しても出力線間Ｒ−Ｔ相電圧値の構成である１線電位・対地間電圧が推察できない。本願は、複雑付帯機器を必要としない点からも本願分岐回路へ産業上技術応用転用はできない。
【課題を解決するための手段】
【００１５】単相２線式分岐回路下位負荷線間電圧１００Ｖ・８・非特許文献１・標準電圧１００Ｖ送電系統を、【００１６】前記・単相２線式分岐回路の分岐ブレーカ・３上位１次側入力電圧を、非特許文献１・標準電圧２００Ｖ仕様に組替え、Ｒ−Ｔ相線間電圧２００Ｖ・２を印加し、電圧降圧部・５へ入力し、【００１７】前記電圧降圧部・５を形成する単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数Ｒ−Ｖ・Ｎ１ａと巻数Ｖ−ｎ・Ｎ２ａを付設し、巻数Ｎ１ａ−Ｎ２ａ分岐点・Ｖを付設し、【００１８】前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。【００１９】前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、【００２０】前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、【００２１】前記２次側出力から、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、【００２２】前記負荷線間電圧１００Ｖ・８相電圧構成を、Ｒ相対地間電圧５０Ｖ・Ｖ５０Ａ及びＴ相対地間電圧５０Ｖ・Ｖ５０Ｂから成し、【００２３】前記単相２線式分岐回路下位負荷線間電圧１００Ｖ・８・非特許文献１・標準電圧１００Ｖを出力する単相２線式５０／１００Ｖ降圧装置を提供する。
【発明の効果】
【００２４】本発明により、負荷線間電圧１００Ｖ・１線地落感電事故災害の電撃被害を、対地間電圧５０Ｖに半減成し、就労者の感電事故防護をより高める対策法となる。【００２５】本発明により、単相１００Ｖ負荷機器稼働中の片相電圧線に起きる電圧降下・電圧変動・フリッカ・電気的悪影響発生要因と、相間不平衡電流発生要因の始動電流及び運転電流を、１次側の母線Ｒ−Ｔ相２線に均等に分流成し、相間不平衡要因を皆無とする。【００２６】本発明により、単相１００Ｖ負荷機器を、分岐回路構成単相２００Ｖとして送電成し、電圧降圧部容量ＶＡに見合う１００Ｖ負荷機器容量ＶＡを集約送電できる。よって、省力電気工事及び施工費安価並びに施工期間短縮が実現する。【００２７】力率改善用コンデンサ仕様を、上位単相２００Ｖ仕様に成しコンデンサ容量は、線間電圧に反比例し小容量となり数量減設し、施工安価となる。【００２８】本発明により、電力供給事業者は柱上変圧器２次側から高圧母線の電流平衡率を高めることができる。【００２９】本発明により、主開閉器相電圧線電流の平衡率が高まり主開閉器アンペア値を負荷設備の稼働率に見合い選択でき、非特許文献１・契約種別主開閉器契約のアンペア値を低減でき契約容量と基本料金削減が実現する。
【図面の簡単な説明】
【００３０】
【図１】配線図  分岐回路  単相２線式５０／１００Ｖ降圧装置
【図２】単相２線式５０／１００Ｖ降圧装置     内部巻線
【図３】汎用単巻変圧器  １００Ｖ＝０Ｖ＋１００Ｖ出力巻線
【図４】１線地落感電事故  感電電圧半減説明
【発明を実施するための形態】
【００３１】本発明を、その実施の形態を示す図面に基づいて具体的に説明する。使用に際しては電気供給約款（非特許文献１）に拘束されており、低圧契約需要家に支障を来すことなく契約締結を可能とする技術を提供するものである。
【００３２】単相２線式分岐回路下位負荷線間電圧１００Ｖ・８・非特許文献１・標準電圧１００Ｖ送電系統を、
【００３３】前記・単相２線式分岐回路の分岐ブレーカ・３上位１次側入力電圧を、非特許文献１・標準電圧２００Ｖ図１・仕様に組替え、Ｒ−Ｔ相線間電圧２００Ｖ・２を印加し、電圧降圧部・５へ入力し、
【００３４】図１、前記電圧降圧部・５を形成する、図２、単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数Ｒ−Ｖ・Ｎ１ａと巻数Ｖ−ｎ・Ｎ２ａを付設し、巻数Ｎ１ａ−Ｎ２ａ分岐点・Ｖを付設し
【００３５】図２、前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。
【００３６】図２、前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、
【００３７】図２、前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、
【００３８】図２、前記２次側出力から、図１、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、
【００３９】図１、前記負荷線間電圧１００Ｖ・８相電圧構成を、図２、Ｒ相対地間電圧５０Ｖ・Ｖ５０Ａ及びＴ相対地間電圧５０Ｖ・Ｖ５０Ｂから成し、
【００４０】図１、前記単相２線式分岐回路下位負荷線間電圧１００Ｖ・８・非特許文献１・標準電圧１００Ｖを出力する単相２線式５０／１００Ｖ降圧装置により、負荷機器を使用する。
【００４１】図１、負荷線間電圧１００Ｖ送電・下位から、上位・単相２線式５０／１００Ｖ母線の相電圧及び相電流を平衡成し、前記「発明が解決しようとする課題」を解決できる。
【００４２】図３、周知される単相２線式５０／１００Ｖ降圧手段は、出力電圧値１００Ｖは非特許文献１・標準電圧１００Ｖを得ることができるが、負荷線間電圧を電圧線１線と中性線１線で構成する点が本願と異なる。負荷機器の選定は負荷変動率が低い非特許文献１・電灯及び小型機器に仕様分けできる。。
【００４３】本願は、図３負荷線間電圧手段に対して、単相２線式１００Ｖ・低力率負荷機器を三相２００Ｖ負荷機器・送電と同じ電圧線のみで構成し電圧線２線相電圧を、同一電圧値により負荷線間電圧１００Ｖを構成し提供できる仕様から単相２線式１００Ｖ仕様・産業用負荷機器を非特許文献１・「動力」機器として仕様分けし安定供給できる。 
【符号の説明】
【００４４】図１  １  単相３線式１００／２００Ｖ  ２  Ｒ−Ｔ相線間電圧２００Ｖ  ３  分岐ブレーカ  ４  収納ケース  ５  電圧降圧部  ６  負荷電流計  ７  負荷ブレーカ  ８  負荷線間電圧１００Ｖ  ９  負荷１０  大地１１  対地間電圧１００Ｖ１２  対地間電圧  ５０Ｖ【００４５】図２及び図３  Ａ      単相３線式１００／２００Ｖ  責任分解点  Ｂ      単相３線式１００／２００Ｖ  電灯配電盤  需給点  Ｃ      単相２線式２００Ｖ  分岐回路  分岐ブレーカ入力点  Ｄ      単相２線式２００Ｖ  分岐回路  分岐ブレーカ出力点  Ｅ      単相２線式２００Ｖ  単巻変圧器  分岐回路  巻線入力点  Ｆ      単相２線式２００Ｖ  単巻変圧器  分岐回路  巻線出力点  Ｇ      単相２線式２００Ｖ  単相２線式５０／１００Ｖ降圧装置・巻線入力点  Ｈ      単相２線式２００Ｖ  単相２線式５０／１００Ｖ降圧装置・巻線出力点Ｖ１      Ｒ−Ｓ相  線間電圧  １００Ｖ＝１００Ｖ＋０Ｖ  Ｓ      中性線  対地間電圧  ０ＶＶ２      Ｓ−Ｔ相  線間電圧  １００Ｖ＝０Ｖ＋１００ＶＶ３      Ｒ−Ｔ相  線間電圧  ２００ＶＮ１      巻数Ｒ−Ｕ  Ｕ      巻数Ｎ１−Ｎ２分岐点Ｎ２      巻数Ｕ−ＴＶ０      Ｎ相対地間電圧０ＶＶ４      線間電圧Ｎ−Ｔ１００Ｖ＝０Ｖ＋１００ＶＶ１００  Ｔ相対地間電圧１００ＶＮ１ａ    巻数Ｒ−Ｖ  Ｖ      巻数Ｎ１ａ−Ｎ２ａ分岐点Ｎ２ａ    巻数Ｖ−ｎ  ｎ      仮中点電位０ＶＮ２ｂ    巻数ｎ−Ｗ  Ｗ      巻数Ｎ２ｂ−Ｎ１ｂ分岐点Ｎ１ｂ    巻数Ｗ−ＴＶ５０Ａ  Ｒ相対地間電圧５０Ｖ  Ｖ５    単相２線式５０／１００Ｖ降圧装置出力  線間電圧１００Ｖ＝５０Ｖ＋５０ＶＶ５０Ｂ  Ｔ相対地間電圧５０Ｖ 
【手続補正２】
【補正対象書類名】特許請求の範囲
【補正対象項目名】全文
【補正方法】変更
【補正の内容】
【特許請求の範囲】
【請求項１】
単相２線式分岐回路下位負荷線間電圧１００Ｖ・８・非特許文献１・標準電圧１００Ｖ送電系統を、前記・単相２線式分岐回路の分岐ブレーカ・３上位１次側入力電圧を、非特許文献１・標準電圧２００Ｖ仕様に組替え、Ｒ−Ｔ相線間電圧２００Ｖ・２を印加し、電圧降圧部・５へ入力し、前記電圧降圧部・５を形成する単相２線式２００Ｖ  単相２線式５０／１００Ｖ降圧装置・巻線入力点・Ｇ・Ｒ相とＴ相間に仮中点電位０Ｖ・nを設け、Ｒ相と仮中点電位０Ｖ・n間に巻数Ｒ−Ｖ・Ｎ１ａと巻数Ｖ−ｎ・Ｎ２ａを付設し、巻数Ｎ１ａ−Ｎ２ａ分岐点・Ｖを付設し、前記仮中点電位０Ｖ・nとＴ相間に巻数ｎ−Ｗ・Ｎ２ｂと巻数Ｗ−Ｔ・Ｎ１ｂを付設し、巻数Ｎ２ｂ−Ｎ１ｂ分岐点・Ｗを付設する。前記電圧降圧部・５を形成する単相２線式２００Ｖ  単相２線式５０／１００Ｖ降圧装置・巻線出力点・Ｈに、前記仮中点電位０Ｖ・nから電圧５０Ｖとなる電位点を前記Ｎ１ａと前記Ｎ２ａ間からＲ相対地間電圧５０Ｖ・Ｖ５０Ａを２次側出力成し、前記巻線出力点・Ｈに、仮中点電位０Ｖ・nから電圧５０Ｖとなる電位点を前記Ｎ２ｂと前記Ｎ１ｂ間からＴ相対地間電圧５０Ｖ・Ｖ５０Ｂを２次側出力成し、前記２次側出力から、負荷線間電圧１００Ｖ・８・非特許文献１・標準電圧１００Ｖを出力得る前記巻数Ｎ１ａ・Ｎ２ａ・Ｎ２ｂ・Ｎ１ｂと、前記巻数Ｎ１ａ−Ｎ２ａ分岐点・Ｖ、前記巻数Ｎ２ｂ−Ｎ１ｂ分岐点・Ｗと、前記仮中点電位０Ｖ・nから、前記負荷線間電圧１００Ｖ・８相電圧構成を、Ｒ相対地間電圧５０Ｖ・Ｖ５０Ａ及びＴ相対地間電圧５０Ｖ・Ｖ５０Ｂから成し、前記単相２線式分岐回路下位負荷線間電圧１００Ｖ・８・非特許文献１・標準電圧１００Ｖを出力する単相２線式５０／１００Ｖ降圧装置。  
【請求項２】
単相２線式２００Ｖ入力・降圧巻線２次側・相電圧線間に、前記相電圧線間に４数・分巻線を付設し、前記４数・分巻線を片バンク２数・分巻線配置付設する降圧装置であって、前記降圧巻線２次側・相電圧線間に、中位となる０電位点を付設し、片バンク２数・分巻線には、前記２数・分巻線間から対地間電位を取得する分岐点を付設する請求項１に記載の降圧装置。   
【手続補正３】
【補正対象書類名】図面
【補正対象項目名】全図
【補正方法】変更
【補正の内容】
【図１】
2017046582.tif 000011
【図２】
2017046582.tif 000012
【図３】
2017046582.tif 000013
【図４】
2017046582.tif 000014